(57)【要約】【課題】マスカラなどの身体に付着したものをピンポイントで除去したり、あるいは、化粧品を塗布する際のダマなどのかたまりを容易に取り除くことを可能とした綿棒を提供すること。【解決手段】折曲復元自在な弾性部位を略中央部分に有する棒材と、棒材の両端に配置された綿部と、からなる綿棒を提供する。両端に配置された綿棒を用いることによって、ダマの除去やマスカラを落とすことなどを容易に行うことができる。さらには、綿棒を用いることで、使い捨て用品として比較的安価に使用することが可能となるため、衛生面の向上が期待できる。【選択図】図２
0003152241.tif 000002
【実用新案登録請求の範囲】
【請求項１】
折曲復元自在な弾性部位を略中央部分に有する棒材と、
棒材の両端に配置された綿部と、からなる綿棒。
【請求項２】
前記棒材は樹脂素材からなり、前記弾性部位は蛇腹構造である請求項１に記載の綿棒。
【請求項３】
前記弾性部位は樹脂素材からなる蛇腹構造であり、
前記弾性部位を除く棒材は紙性素材からなる請求項１に記載の綿棒。
【請求項４】
前記弾性部位を含む棒材は紙性素材からなる請求項１に記載の綿棒。
【請求項５】
前記弾性部位にて棒材を略１８０度折り曲げた場合に、前記綿部は、薄膜状物を挟持可能に構成されている請求項１から４のいずれか一に記載の綿棒。
【考案の詳細な説明】
【技術分野】
【０００１】
本考案は、綿棒に関する。さらに詳しくは、折り曲げたり、復元することが自在な綿棒に関する。
【背景技術】
【０００２】
化粧方法の一例として、まつ毛にマスカラなどの化粧品をつけることが一般的に行われている。マスカラをまつ毛につける場合には、均等にマスカラをまつ毛につけることや、ダマと呼ばれる毛先部分のかたまりを取り除くことを目的として、まつ毛用のコーム（櫛）が用いられている（例えば、特許文献１参照）。
【０００３】
また、マスカラなどの化粧品を落とす（アイクレンジング）場合には、コットンを介して指先でまつ毛を挟み込むことでコットンに化粧品をしみこませて拭い取ったり、あるいは、洗顔時に指先で化粧品を拭い取ったりすることが行われている。
【先行技術文献】
【特許文献】
【０００４】
【特許文献１】特開２００２−１２５７４３号公報
【考案の概要】
【考案が解決しようとする課題】
【０００５】
しかしながら、マスカラをまつ毛につける場合には、従来用いられているまつ毛用のコームでは、コームにマスカラが付着してかたまってしまうため、使用時にその都度洗浄して手入れをしなければならず、不都合が生じていた。また、マスカラをまつ毛から落とす場合には、指先で拭い取ることが行われているため、微細なポイント部分で落とすことができないために目にマスカラが入りやすいという問題や、目の周りの肌がくすんだり黒ずんでしまうという問題が生じていた。
【０００６】
そこで、本考案は、かかる課題に鑑みてなされたものであり、化粧品などの身体に付着したものをピンポイントで除去したり、あるいは、化粧品を塗布する際のダマなどのかたまりを容易に取り除くことを可能とした綿棒を提供することを目的とする。
【課題を解決するための手段】
【０００７】
そこで、本考案においては、かかる課題を解決するために、折曲復元自在な弾性部位を略中央部分に有する棒材と、棒材の両端に配置された綿部と、からなる綿棒を提供する。両端に配置された綿棒を用いることによって、ダマの除去やマスカラを落とすことなどを容易に行うことができる。
【０００８】
なお、棒材は樹脂素材からなり、弾性部位は蛇腹構造であってもよい。また、弾性部位は樹脂素材からなる蛇腹構造であり、弾性部位を除く棒材は紙性素材からなっていてもよい。また、弾性部位を含む棒材は紙性素材からなっていてもよい。また、弾性部位にて棒材を略１８０度折り曲げた場合に、綿部は、薄膜状物を挟持可能に構成されていてもよい。
【考案の効果】
【０００９】
本考案の綿棒は、棒材の両端に綿部を配置し、その棒材は、折曲復元自在な弾性部位を略中央部分に有していることにより、折り曲げた場合に両端の綿部にてダマを除去したり、マスカラを落とすことなどを容易に行うことができる。また折曲復元が自在であるため、まつ毛を挟む動作と、まつ毛から離す動作とが容易であり操作性が極めて高い。更にはまつ毛を挟む強さを使用者の力加減で自由に調整できるため、強く挟み過ぎてまつ毛が抜けたり、弱すぎてマスカラを落としにくいという不都合を回避できる。また、綿棒を用いることで、使い捨て用品として比較的安価に使用することが可能となるため、衛生面の向上が期待できる。
【図面の簡単な説明】
【００１０】
【図１】実施形態１の綿棒の一例を示す図
【図２】本考案の綿棒の利用例を示す図
【図３】実施形態２の綿棒の一例を示す図
【図４】実施形態３の綿棒の一例を示す図
【図５】他の実施形態の例を示す図
【考案を実施するための形態】
【００１１】
以下に、各考案の実施の形態を説明する。なお、本考案はこれら実施の形態に何ら限定されるものではなく、その要旨を逸脱しない範囲において、種々なる態様で実施しうる。
【００１２】
なお、以下の実施形態と請求項の関係は次の通りである。
実施形態１は、主に請求項１、２、５などについて説明する。
実施形態２は、主に請求項３などについて説明する。
実施形態３は、主に請求項４などについて説明する。
【００１３】
<<実施形態１>>
【００１４】
<実施形態１の概要>
【００１５】
本実施形態は、綿棒の中心部分を折り曲げることで、綿棒の両端に配置された綿部によってまつ毛を挟み込むことが可能な綿棒に関するものである。
【００１６】
<実施形態１の構成>
【００１７】
図１は、本実施形態における綿棒１００の一例を示す。図１（ａ）に示す本実施形態の綿棒１００は、折曲復元自在な弾性部位１０１を略中央部分に有する棒材１０２と、棒材１０２の両端に配置された綿部１０３と、からなる。
【００１８】
棒材１０２は、例えば両端の綿部を用いてまつ毛などを挟み込む場合に、両端の綿部を支持するために用いられるものである。棒材１０２の素材は、樹脂素材からなっていてもよいし、紙性素材からなっていてもよい。そして、棒材１０２は、略中央部分に折曲復元自在な弾性部位を有している。「略中央部分」とは、棒材の長手方向のおおよそ中央の部分のことである。具体的には、その略中央部分にて棒材を折り曲げた場合に両端の綿部が互いに対向する位置に配置される範囲であればよい。つまり、例えば両端の綿部の一方の形状が、他方の形状よりも大きい場合には、「略中央部分」は、大きい形状の綿部を有する側により近い部分を示すことになる。
【００１９】
「折曲復元自在」とは、折り曲げたり、その折り曲げた部分を元の状態に戻すことが可能なことを示している。図１（ｂ）は、綿棒を折り曲げた状態の一例を示す図である。現状の綿棒では、両端の綿部を用いてまつ毛などを挟み込む場合に中央部分を折り曲げた場合には、「復元」をすることができないために挟み込みの用途で用いることが困難であった。つまり、化粧品など除去するためにまつ毛を挟み込む場合には、部分単位でまつ毛の挟み込み、マスカラの除去などの作業が行われることになるが、折り曲げた後に復元することができない場合には、２度目以降のまつ毛を挟み込む際に折り曲げた芯部分が安定せず、適切に使用をすることができなくなってしまうからである。さらには、折り曲げた際に棒材がそのまま折り切れてしまう場合もあるからである。このため復元できることが必要となる。折曲復元が「自在」であるとは、何度でも折り曲げたり復元したりすることが可能なことを意味する。なお、本実施形態の綿棒は、使い捨てをも想定しているため、マスカラなどの除去に必要な一定回数（例えば５回）程度折り曲げ復元できればよく、その後、棒材が折り切れてしまってもよい。また、折り曲げ時における形状としては、棒材がＵ字形状となっていてもよいし、あるいは、Ｖ字形状となっていてもよい。
【００２０】
「弾性部位」は、すでに説明した折曲復元自在な状態を実現するための部位である。この弾性部位は、棒材と一体型となっていてもよいし、棒材とは別体となっていてもよい。弾性部位は、具体的にはプラスチックなどの樹脂素材の蛇腹構造であってもよいし、紙性素材に溝を付したものであってもよい。また、２本の棒材を弾性部位で結合することで本実施形態の「棒材」を構成してもよく、弾性部位には、前記のほか、低反発性のバネやゴムなどを用いてもよい。そして、この弾性部位が棒材の略中央部分に配置されていることにより、弾性部位が綿棒の折り曲げ時の支点となることが可能となるため、折り曲げ時の作用点である両端の綿部を適切に揃えることが可能となる。本実施形態の綿棒は、このように弾性部位にて棒材を略１８０度折り曲げた場合に、前記綿部は、薄膜状物を挟持可能に構成されているものである。薄膜状物とは、まつ毛の毛先のダマやマスカラなどのほか、ほこりなども含まれる。
【００２１】
本考案に係る綿棒は、上記弾性部位を有することにより、まつ毛を挟む動作と、まつ毛から離す動作とを容易に何度でも繰り返し行うことができるため、使用者にとって操作性が極めて高い。また、まつ毛を挟む強さを使用者の力加減で自由に調整できるため、適度な強さでまつ毛上を毛の流れに沿って移動させることができ、強く挟み過ぎてまつ毛が抜けたり、弱すぎてマスカラを落としにくいなどという不都合を回避できる。
【００２２】
綿部１０３は、棒材１０２の両端に配置されたものである。綿部とは、綿部材を有す部分である。既に説明したように、棒材の両端に配置されている綿部は、それぞれが同一のサイズ、形状のものであってもよいし、互いに異なるサイズ、形状のものであってもよい。なお、綿部には、化粧除去液や消毒液などを含ませていてもよい。
【００２３】
図１においては、棒材は樹脂素材からなり、弾性部位は蛇腹構造である例を示している。具体的には、プラスチック性の棒材の略中央部分が蛇腹構造となっているものである。これは現状のプラスチック軸の綿棒に蛇腹構造を加工することで製造することが可能となるため、低コストで製造することが可能となる。また、折り曲げた際の角度を保つこともできる。
【００２４】
<利用例>
【００２５】
以下、本実施形態の綿棒の利用例について説明する。本実施形態の綿棒は、一例としては、アイメイク時に用いられる。より具体的には、マスカラの使用時と、その後のマスカラを落とす際に用いられる。図２は、アイメイク時に本実施形態の綿棒を使用している例を示す図である。なお、本実施形態の綿棒は、以下のいずれにおいても使用することが可能である。
【００２６】
まず、マスカラを塗る前の段階においては、基礎化粧品やファンデーションがまつ毛についているとマスカラがまつ毛に付着しづらい。そこで、本実施形態の綿棒を用いてまつ毛を挟みこんでこれらの基礎化粧品などを拭い取ることができる。
【００２７】
次に、マスカラを塗る場合においては、まつ毛の毛先にダマが出来てしまうため、このダマを本実施形態の綿棒を用いて挟み取ることができる。また、まつ毛のムラ付きした部分を挟むことで均等にマスカラを重ね付けすることができる。また、まつ毛同士が引っ付いて束になってしまった部分も本実施形態の綿棒を用いてまつ毛を挟み込むことで調整することができる。なお、本実施形態の綿棒にマスカラを付着させてまつ毛を挟み込むことにより、マスカラを塗布すること自体の用途においても本実施形態の綿棒を用いることが可能である。
【００２８】
次に、マスカラを落とす場合には、例えば化粧落とし用の液体をしみこませた綿部でまつ毛を挟み、マスカラを溶かした状態にし、溶かしたマスカラをまつ毛から挟み取ることで、マスカラが肌に付着せずにまつ毛の根本部分から丁寧にクレンジングする（化粧を落とす）ことが可能となる。詳細な例としては、綿棒の両端に配置された綿部でマスカラつきまつげを挟み込む挟み込みステップと、挟み込んだマスカラをまつげ長さ方向に引っ張ってまつげから離脱させる離脱ステップと、を有する化粧方法が挙げられる。
【００２９】
なお、上記例においては、アイメイク用途として用いる例について説明したが、例えばピアス穴を消毒する際にも本実施形態の綿棒を用いて行うことも可能である。このほか、片側の綿部に薬剤をつけて使用することもできる。例えば、片側に口内炎等の薬剤を塗布し、他方の綿部で口腔内を清浄させるといった用途に用いてもよい。
【００３０】
<実施形態１の効果>
【００３１】
本実施形態の綿棒は、棒材の略中央部分にて折り曲げ復元することが可能であるため、両端の綿部を用いてまつ毛の先のダマや、マスカラなどを除去することが可能となる。また、比較的安価な使い捨て型として使用することができるため、衛生面の向上が期待できる。
【００３２】
<<実施形態２>>
【００３３】
<実施形態２の概要>
【００３４】
実施形態２は、棒材が紙性素材からできており、弾性部位が樹脂素材で構成されている綿棒に関する。
【００３５】
<実施形態２の構成>
【００３６】
図３は、実施形態２における綿棒３００の一例を示す図である。図３（ａ）で示す綿棒３００は、実施形態１で説明した綿棒と同様に、折曲復元自在な弾性部位３０１を略中央部分に有する棒材３０２と、棒材３０２の両端に配置された綿部３０３と、からなる綿棒である。そして、特徴としては、弾性部位３０１は樹脂素材からなる蛇腹構造であり、前記弾性部位３０１を除く棒材３０２は紙性素材からなることである。すなわち、弾性部位と、棒材との素材が異なっている点が特徴である。より具体的には、例えば片側に綿部を有する紙性部材の棒材を有する２つの綿棒を、プラスチックの蛇腹構造を有する結合部材（弾性部位）で結合することで、一の綿棒３００を構成することが挙げられる。図３（ｂ）は、このように２つの綿棒を結合して綿棒３１０を構成した例を示している。あるいは、図３（ｃ）で示すように、両端に綿部を設けた紙性素材からなる棒材に、樹脂素材からなる蛇腹構造の弾性部位を取り付けることで綿棒３２０を構成してもよい。
【００３７】
<実施形態２の効果>
【００３８】
本実施形態の綿棒は、紙性素材の棒材を用いることにより、挟み込んだ場合に棒材に適度な強度を保たせることができる。また、樹脂素材の弾性部位を用いることにより、自在に折り曲げ復元することができる。
【００３９】
<<実施形態３>>
【００４０】
<実施形態３の概要>
【００４１】
実施形態３は、折り曲げ部分も含めた棒材が紙性素材で構成されている綿棒に関する。
【００４２】
<実施形態３の構成>
【００４３】
図４は、実施形態３における綿棒４００の一例を示す図である。図４（ａ）で示す綿棒４００は、実施形態１で説明した綿棒と同様に、折曲復元自在な弾性部位４０１を略中央部分に有する棒材４０２と、棒材４０２の両端に配置された綿部４０３と、からなる綿棒である。そして、特徴としては、弾性部位４０１を含む棒材４０２は紙性素材からなることである。弾性部位が紙性素材で構成されている例としては、例えば図４（ａ）のように、棒材の略中央部分にらせん状の微細な溝を形成することが挙げられる。これにより蛇腹構造時と同様に折り曲げ復元自在な効果を期待できる。あるいは、図４（ｂ）で示す綿棒４１０のように、棒材の略中央部分をプレスして平面を形成することで折り曲げ復元自在な効果を期待できる。さらには、プレスした平面内にて、棒材の長手方向と直行する方向に向けて例えば中心部分に１本、両脇側に１本ずつ、計３本の溝を当該平面の表裏面にプレス加工することで形成してもよい。このような溝を形成することで、無造作に折り曲げた場合でも適切に折り曲げがなされることになる。
【００４４】
<実施形態３の効果>
【００４５】
本実施形態の綿棒は、弾性部位をも含めた棒材が紙性素材から構成されていることにより、例えば使い捨て時に分別せずに捨てることができ、環境面での効果を期待できる。
【００４６】
<<その他の形態>>
【００４７】
図５は、他の実施形態の一例を示す図である。図５（ａ）の綿棒５００は、実施形態１から３のいずれかで説明したものと同様に、折曲復元自在な弾性部位５０１を略中央部分に有する棒材５０２と、棒材５０２の両端に配置された綿部５０３と、からなる綿棒である。そして、両端の綿部５０３が、互いに対向する部分がジグザグ形状を有している点が特徴である。図５（ａ）で示すようなジグザグ形状の綿部５０３を有することにより、まつ毛を梳きやすくすることができ、ダマを除去したりまつ毛を均等にならしたりすることをより適切に行うことができる。
【００４８】
一方、図５（ｂ）は、綿部の代わりに棒材５１２の両端に櫛（コーム）５２０を有する構成を示している。棒材の先端部分をコームにして、互いの歯を合わせてまつ毛を挟み梳くことで、ダマをとりマスカラを均等につけることができる。
【符号の説明】
【００４９】
１００    綿棒
１０１    弾性部位
１０２    棒材
１０３    綿部
【図１】
0003152241.tif 000003
【図２】
0003152241.tif 000004
【図３】
0003152241.tif 000005
【図４】
0003152241.tif 000006
【図５】
0003152241.tif 000007